(57)【要約】【課題】従来のコンクリートブロック塀は地震等による倒壊や人災事故を多発させており、地球環境に優しく、軽量で倒壊しない木製組積塀を提供する。【解決手段】小径木の間伐材も使用が可能な、貫通した穴２を有する穴空き木材１を複数段組積した木製組積塀であって、前記穴空き木材１の貫通した穴２に鍔付接続ソケット３を用いて組積し、モルタル５の充填で連結固定することを特徴とする穴空き木材を複数段組積した木製組積塀。【選択図】  図1
2011026874.tif 000002
【特許請求の範囲】
【請求項１】
貫通した穴を有する穴空き木材を複数段組積した木製組積塀であって、
前記穴空き木材の貫通した穴に鍔付接続ソケットを用いて組積し、その貫通した穴にモルタルを充填して連結固定することを特徴とする穴空き木材を複数段組積した木製組積塀。
【請求項２】
前記穴空き木材は間伐材等を用いて１０センチ角程度に加工した長短の角材とし、貫通した穴の位置を１対２対１とした短材と２の穴数を増やした長材を組み合わせて、柾又は千鳥目地に組積できることを特徴とする請求項１記載の穴空き木材を複数段組積した木製組積塀。
【請求項３】
前記木製組積塀の形成にあたり、前記鍔付接続ソケットの鍔の形状変更や鍔厚を変えて間隔を保持することを特徴とする請求項１記載の穴空き木材を複数段組積した木製組積塀。
【請求項４】
前記貫通した穴を有する穴空き木材は単体又は複数段組積して貫通した穴に、モルタルを充填して連結固定することを特徴とする請求項１記載の穴空き木材を複数段組積した木製組積塀。
【請求項５】
複数段組積した既成ブロック上に、貫通した穴を有する穴空き木材を複数段組積した木製組積塀を構築して、耐震性を高めることを特徴とする請求項１記載の穴空き木材を複数段組積した木製組積塀。
【発明の詳細な説明】
【技術分野】
【０００１】
本発明は、一般の建物周りの塀であって、コンクリートブロック塀、金属製フェンスの塀、鋳物製の塀、擬似竹木塀、木材ブロック塀に関する。
【背景技術】
【０００２】
従来から良く知られている基礎コンクリート上にコンクリートブロックを鉄筋とモルタルを用いて組積するコンクリートブロック塀や金属製フェンスの塀、鋳物製の塀、擬似竹木等の塀が一般的である。
【０００３】
しかしながら最も普及しているコンクリートブロック塀は、地震や自動車等の車両接触による倒壊事故でケガ人や死者が出ているのが現状であり、コンクリートブロックに替わる建材が求められている。
【０００４】
その他の金属製フェンスの塀、鋳物製の塀、擬似竹木等の塀等の既成塀は、コスト高や形状が限定されているため、住宅等の囲い塀に多く普及していないのが現状である。
【０００５】
前記従来の塀は、全て形状や色彩を変えることができない既製品で、その種類は膨大で金型や品揃を必要としている。さらに、現場での形状変更が不可能であるとともに、全て地球環境に優しくない素材で作られている。
【０００６】
なお、本願発明に関連する公知技術として次の特許文献１を挙げることができるが、コンクリート基礎上に塀１段目の土台木材ブロックをアンカーボルトで固定して、木材ブロックを組積したもので複雑である。さらに、コンクリート基礎と塀１段目の土台木の接触面や木材ブロック間の接触面等の腐食が問題である。
【０００７】
【特許文献１】特許公開２００５−３１５０４３
【発明の開示】
【発明が解決しようとする課題】
【０００８】
近年多発している地震等で倒壊したブロック塀の倒壊被害は多大で、大半が道路面に倒壊しているため通行を妨げている。さらに、被害状況も倒壊したブロック塀の下敷き事故や避難通路の遮断、重量物の倒壊塀は撤去困難等多くの課題がある。それらの課題を考慮した塀部材の軽量化、簡便で腐食もし難い施工方法、倒壊し難い安全性の高い塀の構築が要求される。
【０００９】
さらに、地球温暖化時代に適応した自然環境に優しい材料の選定や倒壊したコンクリートブロック塀の処理も課題である。
【課題を解決するための手段】
【００１０】
前記課題を解決するため、請求項１に係る発明は、貫通した穴を有する穴空き木材を複数段組積した木製組積塀であって、前記穴空き木材の貫通した穴に鍔付接続ソケットを用いて組積し、その貫通した穴にモルタルを充填して連結固定することを特徴とする。
【００１１】
請求項２に係る発明は、前記穴空き木材は間伐材等を用いて１０センチ角程度に加工した長短の角材とし、貫通した穴の位置を１対２対１とした短材と２の穴数を増やした長材を組み合わせて、柾又は千鳥目地に組積できることを特徴とする。
【００１２】
請求項３に係る発明は、前記木製組積塀の形成にあたり、前記鍔付接続ソケットの鍔の形状変更や鍔厚を変えて間隔を保持することを特徴とする。
【００１３】
請求項４に係る発明は、前記貫通した穴を有する穴空き木材を複数段組積した木製組積塀体の連結穴に、モルタルを充填して連結固定することを特徴とする。
【００１４】
請求項５に係る発明は、複数段組積した既成ブロック上に、貫通した穴を有する穴空き木材を複数段組積した木製組積塀を構築して、耐震性を高めることを特徴とする。
【発明の効果】
【００１５】
請求項１に係る発明によれば、貫通した穴を有する穴空き木材の貫通した穴に鍔付接続ソケットを差込みつつ、前記穴空き木材を組積することで効率良く木製組積塀体が構築できる。その木製組積塀体の連結した穴にモルタルを充填して連結固定する作業に専門技能者は必要なく、多能工が容易で敏速に木製組積塀を構築できる。
【００１６】
請求項２に係る発明によれば、間伐材等の小径木も利用できる１０センチ角程度の角材に加工した穴空き木材で、貫通した穴の位置を１対２対１とした短材の穴空き木材や穴数を増やした長材の穴空き木材を組み合わせて使用することで、柾積の木製組積塀から千鳥に組積した木製組積塀まで多種多様な木製組積塀を構築することが可能となる。特に、千鳥に組積した木製組積塀は連続性があり、より強固な木製組積塀となる。
【００１７】
請求項３に係る発明によれば、前記木製組積塀の形成にあたり、前記鍔付接続ソケットの鍔の形状変更や鍔厚を変えることで多種多様な木製組積塀が構築できる。さらに、穴空き木材間の様々な間隔が容易に保持できる。また、間隔を保持することは木製組積塀の腐食防止、白蟻の発生防止等に極めて有効である。
【００１８】
請求項４に係る発明によれば、前記穴空き木材は公園や庭園等の柵として利用する場合、前記貫通した穴を有する穴空き木材は単体又は複数段組積して貫通した穴に、モルタルを充填して連結固定することで簡易な柵等が容易に構築できる。
【００１９】
従来の既成ブロック塀は６段積が一般的で、地震や自動車等の車両接触による倒壊事故でケガ人や死者が出ていた、請求項５に係る発明によれば、複数段組積した既成ブロック上に、貫通した穴を有する穴空き木材を複数段組積した木製組積塀を構築することで、塀の上部の荷重を減らすとともに穴空き木材の連結で耐震性を高める。
【００２０】
前記した効果に加えて特筆すべきは、社会問題である間伐材の利用促進、地震に強い塀の構築、地球温暖化防止の塀、地球環境に優しい塀等に最も適合する間伐材を用いた、穴空き木材を複数段組積した木製組積塀としての広い市場と社会貢献も出来る。
【発明を実施するための最良の形態】
【００２１】
以下、本発明の穴空き木材を複数段組積した木製組積塀について、実施の形態を図面に基づき詳細に説明する。
【００２２】
図１〜図１１は本発明の実施の形態に係り、図１は図１０の木製組積塀の一部分の斜視図、図２は穴空き木材間を狭くした実施形態の縦断面詳細図、図3は穴空き木材間を広くした実施形態の縦断面詳細図、図4は図２の一部分を拡大した縦断面詳細図、図5は図３の一部分を拡大した縦断面詳細図、図6は図５の穴空き木材に溝加工した縦断面詳細図、図7は図２の千鳥目地に組積した組積塀の一部分の姿図、図8は図２の柾目地に組積した組積塀の一部分の姿図、図9は図３の千鳥目地に組積した組積塀の一部分の姿図、図１０は図３の柾目地に組積した組積塀の一部分の姿図、図１１は図６を千鳥目地に組積した組積塀の一部分の姿図、図１１は図６を柾目地に組積した組積塀の一部分の姿図である。
【００２３】
図１は請求項１記載の貫通した穴を有する穴空き木材１を複数段組積した木製組積塀で図１０を明快にした斜視図であって、前記穴空き木材１の貫通した穴２に鍔付接続ソケット３を用いて組積し、モルタル５の充填で連結固定することを特徴とする穴空き木材１を複数段組積した木製組積塀である。
【００２４】
図２は基礎コンクリート６上の埋設された鉄筋４に、薄い鍔の鍔付接続ソケット３を差込みつつ、複数の貫通した穴２を有する穴空き木材１を差込んで、順次組積して図７，８の木製組積塀体１０Ａ、Ｂをなし、その連結された貫通した穴２内にモルタル５を充填して、モルタル５の凝固によって連結固定させて構築する穴空き木材間を狭くした実施形態の縦断面詳細図で、図７の千鳥目地に組積した木製組積塀と図８の柾目地に組積した木製組積塀が構築できる。
【００２５】
図３は基礎コンクリート６上の埋設された鉄筋４に、広い鍔の鍔付接続ソケット３を差込みつつ、複数の貫通した穴２を有する穴空き木材１を差込んで、順次組積して図９、１０の木製組積塀体１１Ａ、Ｂをなし、その連結された貫通した穴２内にモルタル５を充填して、モルタル５の凝固によって連結固定させて構築する穴空き木材間を広くした実施形態の縦断面詳細図で、図９の千鳥目地に組積した木製組積塀と図１０の柾目地に組積した木製組積塀が構築できる。
【００２６】
図４は図２のＡ部を拡大した縦断面詳細図で、薄い鍔の鍔付接続ソケット３と貫通した穴２を有する穴空き木材１の取り合いを示したもので、薄い鍔で穴空き木材１間を少し空けることで風通しを好くして木材の腐食防止と目隠し塀としての役割を持たせた。
【００２７】
図５は図３のＢ部を拡大した縦断面詳細図で、広い鍔の鍔付接続ソケット３と貫通した穴２を有する穴空き木材１の取り合いを示したもので、広い鍔で穴空き木材１間を広く空けることで風通しを好くして木材の腐食防止と開放性のある塀とした。穴空き木材１間を広く空けることで穴空き木材１の使用量を減少しコストが削減できる。
【００２８】
図６は図３のＢ部を拡大した縦断面詳細図で、広い鍔の鍔付接続ソケット３と貫通した穴２を有する溝加工８した穴空き木材１の取り合いを示したもので、広い鍔で穴空き木材１間を広く空けることで風通しを好くして木材の腐食防止と開放性のあるリブ状の塀となる。
塀の形状は図１１の千鳥目地に組積した木製組積塀と図１２の柾目地に組積した木製組積塀が構築できる。これらの塀も穴空き木材１の使用量を減少しコストが削減できる。
【００２９】
前記で溝加工８した穴空き木材１を説明したが、穴空き木材１の加工は様々な模様の加工が出来る。例えば表面に凹凸や柄彫りのあるものなど如何なる模様があっても容易に連結ができる。
【００３０】
さらに、前記鍔付接続ソケット３は穴空き木材１の貫通した穴２の大きさより、鍔付接続ソケット３の鍔部分が大きくなることで、木製組積塀を転倒し難くする効果がある。
【００３１】
本発明の主材である木製組積塀を構成する穴空き木材１は、間伐材も利用できる小径木で、ひび割れ防止の背割り７と１０センチ角程度に加工した角材を、長さを１メトルに切断して５０センチの間隔に複数の貫通した穴２を空けた穴空き木材１と長さを２メトルに切断して５０センチの間隔に複数の貫通した穴２を空けた穴空き木材１の二種類を規格材とする。しかしながら、前記固定寸法については最良な寸法が見つかるまでの暫定とする。
【００３２】
前記の長さを２メトルに切断して５０センチの間隔に複数の貫通した穴２を空けた穴空き木材１を用いて、図７，９に示したように千鳥目地に組積した木製組積塀は穴空き木材１が連結して一枚の木製組積塀体となり強固な木製組積塀となる。
【００３３】
前記の長さを１メトルに切断して５０センチの間隔に複数の貫通した穴２を空けた穴空き木材１を用いて、図８，１０に示したように柾目地に組積した木製組積塀は穴空き木材１の目地が整然と通った美しい木製組積塀となる。長さを２メトルの穴空き木材１も同様である。
【００３４】
さらに、前記長さを１メトルに切断して５０センチの間隔に複数の貫通した穴２を空けた穴空き木材１と長さを２メトルに切断して５０センチの間隔に複数の貫通した穴２を空けた穴空き木材１の二種類の規格材を多種多様に組み合わせて組積することで、多種多様な木製組積塀が構築できる。
【００３５】
前記二種類の穴空き木材１は、複数の貫通した穴２に独立した基礎ブロックを取付けて公園等のボーダー柵として利用することも可能である。
【００３６】
本発明のもう一つの主材である鍔付接続ソケット３は、多種な材質が考えられるが安価で大量生産が可能なプラスチックで、貫通した穴２に差込める管状の筒に薄い鍔(５ミリ程度)を付けた鍔付接続ソケット３と管状の筒の中央部を鍔状(３０ミリ程度)に広げた鍔付接続ソケット３で差込み部分を三センチ程度にした、二種類の鍔付接続ソケット３を使い分けて、それぞれの木製組積塀を構築する。
【００３７】
前記鍔付接続ソケット３は、穴空き木材１間を透かせる効果以外に技能者を必要とすることなく、多能工が容易に敏速に穴空き木材１の組積を可能にする。
【００３８】
前記した全ての木製組積塀は構築後であっても、木製・和洋瓦・金属笠木等多種多様な笠木の取付けが可能で、多種多様な木製組積塀が構築できる。
【００３９】
さらに、前記穴空き木材１の製品価格は長さが２メトル程度の間伐材は安価であり、大量生産することでより安価な穴空き木材１が加工できる。また、軽量で保管在庫も容易で常備供給が容易である。さらに、塗装が容易で着色することで多種多様な木製組積塀の品揃えが容易である。
【００４０】
本発明の穴空き木材１を複数段組積した木製組積塀は防蟻、防腐が懸念されるが、現在の防蟻、防腐処理は進歩して穴空き木材１の接触に注意すれば長い耐用年数が望める。しかしながら、木製組積塀の定期的なメンテナンス、塗装等は必要である。
【実施例１】
【００４１】
図７の千鳥目地に組積した木製組積塀の構築は、在来工法の基礎コンクリート６に５０センチの間隔で鉄筋４を埋設して木製組積塀の転倒防止筋とする。その基礎コンクリート６上の埋設された鉄筋４に、薄い鍔の鍔付接続ソケット３を差込み、ひび割れ防止の背割り７をした１０センチ角に加工した角材を長さ２メトルに切断して、５０センチの間隔に複数の貫通した穴２を空けた穴空き木材１を差込んで、順次組積して図７の木製組積塀体１０Ａをなし、その連結された貫通した穴２内にモルタル５を充填して、モルタル５の凝固によって連結固定させて構築する。この木製組積塀は積み木のように全ての木製組積塀体１０Ａを完成させてモルタル５を充填することが可能で高度な技術を必要としない。
【実施例２】
【００４２】
図８の柾目地に組積した木製組積塀の構築は、在来工法の基礎コンクリート６に５０センチの間隔で鉄筋４を埋設して木製組積塀の転倒防止筋とする。その基礎コンクリート６上の埋設された鉄筋４に、薄い鍔の鍔付接続ソケット３を差込み、ひび割れ防止の背割り７をした１０センチ角に加工した角材を長さ１メトルに切断して、５０センチの間隔に複数の貫通した穴２を空けた穴空き木材１を差込んで、順次組積して図８の木製組積塀体１０Ｂをなし、その連結された貫通した穴２内にモルタル５を充填して、モルタル５の凝固によって連結固定させて構築する。この木製組積塀は積み木のように全ての木製組積塀体１０Ｂを完成させてモルタル５を充填することが可能で高度な技術を必要としない。この柾目地に組積した木製組積塀は長さ２メトルの穴空き木材１も同様にして使用できる。
【実施例３】
【００４３】
図９の千鳥目地に組積した木製組積塀の構築は、在来工法の基礎コンクリート６に５０センチの間隔で鉄筋４を埋設して木製組積塀の転倒防止筋とする。その基礎コンクリート６上の埋設された鉄筋４に、広い鍔の鍔付接続ソケット３を差込み、ひび割れ防止の背割り７をした１０センチ角に加工した角材を長さ２メトルに切断して、５０センチの間隔に複数の貫通した穴２を空けた穴空き木材１を差込んで、順次組積して図９の木製組積塀体１１Ａをなし、その連結された貫通した穴２内にモルタル５を充填して、モルタル５の凝固によって連結固定させて構築する。この木製組積塀は積み木のように全ての木製組積塀体１１Ａを完成させてモルタル５を充填することが可能で高度な技術を必要としない。
【実施例４】
【００４４】
図１０の柾目地に組積した木製組積塀の構築は、在来工法の基礎コンクリート６に５０センチの間隔で鉄筋４を埋設して木製組積塀の転倒防止筋とする。その基礎コンクリート６上の埋設された鉄筋４に、広い鍔の鍔付接続ソケット３を差込み、ひび割れ防止の背割り７をした１０センチ角に加工した角材を長さ１メトルに切断して、５０センチの間隔に複数の貫通した穴２を空けた穴空き木材１を差込んで、順次組積して図１０の木製組積塀体１１Ｂをなし、その連結された貫通した穴２内にモルタル５を充填して、モルタル５の凝固によって連結固定させて構築する。この木製組積塀は積み木のように全ての木製組積塀体１１Ｂを完成させてモルタル５を充填することが可能で高度な技術を必要としない。この柾目地に組積した木製組積塀は長さ２メトルの穴空き木材１も同様にして使用できる。
【実施例５】
【００４５】
在来工法の基礎コンクリート６に４０センチの間隔で鉄筋４を埋設して、既成ブロック９塀の転倒防止筋とする。その基礎コンクリート６上の埋設された鉄筋４と横筋を用いて既成ブロック９を複数断組積した上に、貫通した穴を有する穴空き木材を複数段組積した木製組積塀を構築することで、塀の上部の荷重を減らすとともに穴空き木材１の連結で耐震性を高める。
【００４６】
前記５例の実施例は笠木を必要とするものではないが、これら木製組積塀は構築後であっても、和風、洋風等自由なデザインの笠木を取付けて多種多様なデザインの木製組積塀が構築できる。
【００４７】
この発明において、前記５例の実施例を挙げたが、実施例内の実寸は一例を示したものであり寸法を固定するものではない、例えば１０センチ角を９センチ角に貫通した穴２の間隔の５０センチを４０センチの間隔にして穴空き木材１の長さを替えることも支障なく実施することができる。
【図面の簡単な説明】
【００４８】
【図１】本発明の実施の形態に係る図１０の木製組積塀の一部分の斜視図である。
【図２】穴空き木材間を狭くした実施形態の縦断面詳細図である。
【図３】穴空き木材間を広くした実施形態の縦断面詳細図である。
【図４】図２の一部分を拡大した縦断面詳細図である。
【図５】図３の一部分を拡大した縦断面詳細図である。
【図６】図５の穴空き木材に溝加工した縦断面詳細図である。
【図７】図２の千鳥目地に組積した組積塀の一部分の姿図である。
【図８】図２の柾目地に組積した組積塀の一部分の姿図である。
【図９】図３の千鳥目地に組積した組積塀の一部分の姿図である。
【図１０】図３の柾目地に組積した組積塀の一部分の姿図である。
【図１１】図６を千鳥目地に組積した組積塀の一部分の姿図である。
【図１２】図６を柾目地に組積した組積塀の一部分の姿図である。
【符号の説明】
【００４９】
・  穴空き木材
・  貫通した穴
・  鍔付接続ソケット
・  鉄筋
・  モルタル
・  基礎コンクリート
・  背割り
・  溝加工
・  既成ブロック
１０Ａ  千鳥積した木製組積塀体
１０Ｂ  柾積した木製組積塀体
１１Ａ  千鳥積した木製組積塀体
１１Ｂ  柾積した木製組積塀体
１２Ａ  千鳥積した木製組積塀体
１２Ｂ  柾積した木製組積塀体
【図１】
2011026874.tif 000003
【図２】
2011026874.tif 000004
【図３】
2011026874.tif 000005
【図４】
2011026874.tif 000006
【図５】
2011026874.tif 000007
【図６】
2011026874.tif 000008
【図７】
2011026874.tif 000009
【図８】
2011026874.tif 000010
【図９】
2011026874.tif 000011
【図１０】
2011026874.tif 000012
【図１１】
2011026874.tif 000013
【図１２】
2011026874.tif 000014